【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
第１の波長の化学線に対して感受性のある光重合可能な組成物を含む画像形成要素であって、光ルミネセンスタグが前記要素内に配置されており、前記タグが、前記第１の波長とは異なる第２の波長の放射線に応答することを特徴とする画像形成要素。
【請求項２】
前記タグは、前記光重合可能な組成物中に配置されていることを特徴とする請求項１に記載の画像形成要素。
【請求項３】
ａ）第１の波長の化学線に対して感受性のある光重合可能な組成物の層を含む画像形成要素を提供するステップであって、
光ルミネセンスタグが、前記要素内に配置され、前記タグが、前記第１の波長とは異なる第２の波長の放射線に対して応答を示すものであるステップと、
ｂ）前記画像形成要素を前記化学線で露光するステップと、
ｃ）ステップｂ）の要素を処理して記録要素を形成するステップと
を含むことを特徴とする記録要素の作製方法。
【請求項４】
前記タグは、前記組成物中に配置されることを特徴とする請求項３に記載の方法。
【請求項５】
記録要素の作製に使用される装置で、条件を設定するための方法であって、
ａ）第１の波長の化学線に対して感受性のある光重合可能な組成物の層を含む、画像形成要素を提供するステップであって、光ルミネセンスタグが、前記要素内に配置され、前記タグが、前記第１の波長とは異なる第２の波長の放射線に対して応答するものであるステップと、
ｂ）前記要素を、前記第２の波長の放射線で露光して、前記タグを励起しまたは刺激し、前記タグから発光を引き起こすステップと、
ｃ）前記発光を検出するステップと、
ｄ）ステップｃ）から検出された発光に応じて、前記装置を操作するための１つ又は複数の条件を設定するステップと
を含むことを特徴とする方法。
【請求項６】
前記第２の波長で露光するステップと、前記励起されたタグから発光を検出するステップとを実施する検出システムで、前記要素を走査するステップをさらに含むことを特徴とする請求項５に記載の方法。
【請求項７】
前記光ルミネセンスタグが印刷フォームに存在する請求項３に記載の方法により調製されることを特徴とするフレキソ印刷フォーム。
【手続補正２】
【補正対象書類名】明細書
【補正対象項目名】０１４６
【補正方法】変更
【補正の内容】
【０１４６】
対照
感光性要素を、実施例１に記載したように生成したが、ただし、この要素は、いかなるタグ化合物も含有しないものであった。この要素を、実施例１に記載したように露光し、処理した。得られた印刷版は、予想通りにレリーフ画像を形成した。実施例１および実施例２で形成した版のレリーフ画像は、対照の版で形成されたレリーフ画像に匹敵するものであった。
本発明は、以下の態様を包含する。
[１]  第１の波長の化学線に対して感受性のある組成物を含む画像形成要素であって、光ルミネセンスタグが前記要素内に配置されており、前記タグが、前記第１の波長とは異なる第２の波長の放射線に応答することを特徴とする画像形成要素。
[２]  前記組成物は、感光性組成物であることを特徴とする[１]に記載の画像形成要素。
[３]  前記タグは、前記感光性組成物中に配置されていることを特徴とする[２]に記載の画像形成要素。
[４]  前記組成物は、モノマー、および前記第１の波長の化学線に対して感受性のある開始剤または開始剤系を含む感光性組成物であることを特徴とする[１]に記載の画像形成要素。
[５]  前記感光性組成物は、結合剤をさらに含むことを特徴とする[４]に記載の画像形成要素。
[６]  前記結合剤は、エラストマー結合剤であることを特徴とする[５]に記載の画像形成要素。
[７]  前記タグは、前記第２の波長での励起または刺激に応答することを特徴とする[１]に記載の画像形成要素。
[８]  前記タグは、第３の波長で放出することによって応答することを特徴とする[１]に記載の画像形成要素。
[９]  前記タグは、無機化合物であることを特徴とする[１]に記載の画像形成要素。
[１０]  前記第２の波長の放射線で露光すると、前記タグは、蛍光を発し、またはリン光を発することができ、あるいは誘導放出を有することができることを特徴とする[１]に記載の画像形成要素。
[１１]  前記タグは、前記第２の波長の放射線による露光に応答して励起しまたは刺激されるようになり、前記第１の波長および前記第２の波長とは異なる第３の波長で放出される放射線を発生させることを特徴とする[１]に記載の画像形成要素。
[１２]  前記タグは、金属酸硫化物リン光体であることを特徴とする[１]に記載の画像形成要素。
[１３]  前記タグは、前記組成物の全量に対して１から１０００ｐｐｍの量で前記組成物中に存在することを特徴とする[１]に記載の画像形成要素。
[１４]  前記タグは、前記組成物の全量に対して１から３００ｐｐｍの量で前記組成物中に存在することを特徴とする[１]に記載の画像形成要素。
[１５]  前記組成物の第１の層に隣接する少なくとも１つの追加の層をさらに含み、前記追加の層が、支持層、剥離層、前記第１の波長の化学線に対して感受性のある第２の組成物層、前記第１の波長の化学線に対して感受性のあるものになることが可能なエラストマー層、ワックス層、接着調節層、レーザー光線感受性層、カバーシート、およびこれらの組合せからなる群から選択されることを特徴とする[１]に記載の画像形成要素。
[１６]  前記タグは、前記少なくとも１つの追加の層内に配置されることを特徴とする[１５]に記載の画像形成要素。
[１７]  前記レーザー光線感受性層は、赤外レーザー光線に対して感受性のあることを特徴とする[１５]に記載の画像形成要素。
[１８]  前記タグは、前記組成物の層に隣接する層を形成するポリマー内に分散されることを特徴とする[１]記載の画像形成要素。
[１９]  前記画像形成要素は、前記化学線による露光で、記録要素になることを特徴とする[１]に記載の画像形成要素。
[２０]  前記記録要素は、フレキソ印刷フォームであることを特徴とする[１９]に記載の画像形成要素。
[２１]  前記記録要素は、プリプレスプルーフであることを特徴とする[１９]に記載の画像形成要素。
[２２]  前記記録要素は、熱形成カラーフィルタであることを特徴とする[１９]に記載の画像形成要素。
[２３]  前記記録要素は、フォトレジストであることを特徴とする[１９]に記載の画像形成要素。
[２４]  前記記録要素は、活版印刷フォームであることを特徴とする[１９]に記載の画像形成要素。
[２５]  前記組成物は、少なくとも１種のモノマーと、前記第１の波長の前記化学線に対して感受性のある光開始剤または開始剤系と、前記タグとを含む感光層を形成することを特徴とする[１]に記載の画像形成要素。
[２６]  前記第１の波長と異なり、かつ前記第２の波長と異なる波長の放射線に対して応答する、少なくとも１つの追加の光ルミネセンスタグをさらに含むことを特徴とする[１]に記載の画像形成要素。
[２７]  前記第１の波長は、２５０から４００ｎｍの間にあることを特徴とする[１]に記載の画像形成要素。
[２８]  前記第２の波長は、４００ｎｍを超えることを特徴とする[１]に記載の画像形成要素。
[２９]  前記第２の波長は、８００から１２００ｎｍの間にあることを特徴とする[１]に記載の画像形成要素。
[３０]  前記タグは、４５０から６００ｎｍの間の第３の波長で放出することによって応答することを特徴とする[１]に記載の画像形成要素。
[３１]  前記タグは、反ストークスリン光体であることを特徴とする[１]に記載の画像形成要素。
[３２]  前記タグは、前記組成物の全量に対して２５から２５０ｐｐｍの量で、前記組成物中に存在することを特徴とする[１]に記載の画像形成要素。
[３３]  化学線に対して感受性のある前記組成物は、層を形成し、前記画像形成要素は、前記組成物層の上方に配置された剥離層をさらに含み、前記タグは、前記剥離層中に存在することを特徴とする[１]に記載の画像形成要素。
[３４]  化学線に対して感受性のある前記組成物は、支持体に隣接する層を形成し、前記タグは、前記支持体中に存在することを特徴とする[１]に記載の画像形成要素。
[３５]  ａ）第１の波長の化学線に対して感受性のある組成物の層を含む画像形成要素を提供するステップであって、
光ルミネセンスタグが、前記要素内に配置され、前記タグが、前記第１の波長とは異なる第２の波長の放射線に対して応答を示すものであるステップと、
ｂ）前記画像形成要素を前記化学線で露光するステップと、
ｃ）ステップｂ）の要素を処理して記録要素を形成するステップと
を含むことを特徴とする記録要素の作製方法。
[３６]  前記タグは、前記組成物中に配置されることを特徴とする[３５]に記載の方法。
[３７]  前記組成物は、少なくとも１種のモノマーと、前記第１の波長の化学線に対して感受性のある開始剤または開始剤系とを含む感光性組成物であることを特徴とする[３５]に記載の方法。
[３８]  前記組成物は、結合剤をさらに含むことを特徴とする[３５]に記載の方法。
[３９]  前記組成物は、エラストマー結合剤をさらに含むことを特徴とする[３５]に記載の方法。
[４０]  前記タグは、前記第２の波長で励起することによって応答を示すことを特徴とする[３５]に記載の方法。
[４１]  前記タグは、前記第２の波長での励起または刺激に対して応答することを特徴とする[３５]に記載の方法。
[４２]  前記タグは、第３の波長で放出することによって応答することを特徴とする[３５]に記載の方法。
[４３]  前記第２の波長の放射線で露光すると、前記タグが蛍光を発し、またはリン光を発することができ、あるいは誘導放出を有することができることを特徴とする[３５]に記載の方法。
[４４]  前記要素を、前記第２の波長の放射線で露光するステップをさらに含むことを特徴とする[３５]に記載の方法。
[４５]  前記タグは、前記第１の波長および前記第２の波長とは異なる第３の波長で放出される放射線を発生させることによって、前記第２の波長の放射線に応答することを特徴とする[４４]に記載の方法。
[４６]  前記第３の波長は、４５０から６００ｎｍの間にあることを特徴とする[４５]に記載の方法。
[４７]  前記第１の波長は、２５０から４００ｎｍの間にあることを特徴とする[３５]に記載の方法。
[４８]  前記第２の波長は、８００から１２００ｎｍの間にあることを特徴とする[３５]に記載の方法。
[４９]  前記要素を、前記第２の波長の放射線で露光するステップをさらに含み、前記タグは、蛍光を発し、またはリン光を発することができ、あるいは誘導放出を有することができることを特徴とする[３５]に記載の方法。
[５０]  前記画像形成要素は、支持体、剥離層、前記第１の波長の化学線に対して感受性のある第２の組成物層、前記第１の波長の化学線に対して感受性のあるものになることが可能なエラストマー層、ワックス層、接着調節層、レーザー光線感受性層、カバーシート、およびこれらの組合せからなる群から選択される、前記組成物の層の上にありまたは隣接する少なくとも１つの追加の層をさらに含むことを特徴とする[３５]に記載の方法。
[５１]  前記タグは、前記少なくとも１つの追加の層内に配置されることを特徴とする、[５０]に記載の方法。
[５２]  前記画像形成要素は、前記組成物の層の上にまたは隣接して配置されたレーザー光線感受性層をさらに含み、前記方法は、前記処理ステップを行う前に、前記画像形成要素を赤外レーザー光線で露光してｉｎ−ｓｉｔｕマスクを前記組成物層上に形成するステップをさらに含むことを特徴とする[５０]に記載の方法。
[５３]  前記赤外レーザー光線は、７７０ｎｍを超えることを特徴とする[５２]に記載の方法。
[５４]  前記タグは、前記組成物の層に隣接する層を形成するポリマー内に分散されることを特徴とする[３５]に記載の方法。
[５５]  前記露光ステップｂ）は、
（１）前記組成物の層を、前記化学線で画像露光して、露光領域および未露光領域を形成するステップと、
（２）前記組成物の層を、前記化学線でブランケット露光するステップと
からなる群から選択されることを特徴とする[３５]に記載の方法。
[５６]  前記画像露光ステップは、
（１）前記組成物層を、フォトツールを通して前記化学線で露光するステップと、
（２）前記組成物層の上にありまたは隣接しているレーザー光線感受性層を、少なくとも前記第１の波長とは異なるレーザー光線で画像露光して、前記組成物層の上方にｉｎ−ｓｉｔｕマスクを形成し、前記組成物層を、前記ｉｎ−ｓｉｔｕマスクを通して前記化学線で露光するステップと、
（３）前記組成物層の上または上方に、化学線不透過材料を画像通りに付着させて、マスクを形成し、前記組成物層を、前記マスクを通して前記化学線で露光するステップと
からなる群から選択されることを特徴とする[５５]に記載の方法。
[５７]  前記画像露光は、前記第２の波長とは異なるレーザー光線を用いることを特徴とする[５６]に記載の方法。
[５８]  前記組成物は、少なくとも１種のモノマーと、前記第１の波長の前記化学線に対して感受性のある光開始剤または開始剤系と、前記タグとを含む感光層を形成することを特徴とする[３５]に記載の方法。
[５９]  前記画像形成要素は、前記第１の波長と異なり、かつ前記第２の波長と異なる波長の放射線に対して応答を示す、少なくとも１つの追加の光ルミネセンスタグをさらに含むことを特徴とする[３５]に記載の方法。
[６０]  前記処理ステップｃ）は、
（１）ステップｂ）の要素を、溶媒溶液、水性溶液、半水性溶液、および水からなる群から選択される、少なくとも１種の洗い流し溶液で処理するステップと、
（２）ステップｂ）の要素を、領域を融解させ、流動させ、または軟化させるのに十分な温度まで加熱するステップと、
（３）ステップｂ）の要素の前記組成物層を、前記組成物層に隣接する層から、または前記組成物層の上方のカバーシートから、分離するステップと、
（４）ステップｂ）の要素の前記組成物層を、支持体または基板に積層するステップと、
（５）ステップｂ）の要素の前記組成物層を、支持体、受容体、またはディスプレイシートに転写するステップと
からなる群から選択されることを特徴とする[３５]に記載の方法。
[６１]  ステップ（２）の要素を加熱した後、前記方法は、前記要素を現像媒体に接触させて、融解し、流動し、または軟化した前記領域を除去するステップをさらに含むことを特徴とする[６０]に記載の方法。
[６２]  前記処理ステップ（１）および（２）は、印刷に適したレリーフ面を形成することを特徴とする[６０]に記載の方法。
[６３]  前記組成物は、層を形成する感光性組成物であり、前記露光ステップｂ）は、ある深さまで前記層全体を光補強するのに十分な化学線で、前記層をブランケット露光するステップを含み、
前記処理ステップｃ）は、ステップｂ）の要素の前記光補強層を、前記第１の波長とは異なるレーザー波長のレーザー光線で画像露光して、前記光補強層の一部をある深さまで除去するステップを含む
ことを特徴とする[３５]に記載の方法。
[６４]  前記レーザー光線は、７６０から１２００ｎｍの間にあることを特徴とする[６２]に記載の方法。
[６５]  前記レーザー光線は、１０から１１ミクロンの間にあることを特徴とする[６２]に記載の方法。
[６６]  前記処理ステップｃ）は、レリーフ面を形成するステップを含むことを特徴とする[３５]に記載の方法。
[６７]  記録要素の作製に使用される装置で、条件を設定するための方法であって、
ａ）第１の波長の化学線に対して感受性のある組成物の層を含む、画像形成要素を提供するステップであって、光ルミネセンスタグが、前記要素内に配置され、前記タグが、前記第１の波長とは異なる第２の波長の放射線に対して応答するものであるステップと、
ｂ）前記要素を、前記第２の波長の放射線で露光して、前記タグを励起しまたは刺激し、前記タグから発光を引き起こすステップと、
ｃ）前記発光を検出するステップと、
ｄ）ステップｃ）から検出された発光に応じて、前記装置を操作するための１つ又は複数の条件を設定するステップと
を含むことを特徴とする方法。
[６８]  前記タグからの前記発光は、第３の波長であることを特徴とする[６７]に記載の方法。
[６９]  前記第２の波長で露光するステップと、前記励起されたタグから発光を検出するステップとを実施する検出システムで、前記要素を走査するステップをさらに含むことを特徴とする[６７]に記載の方法。
[７０]  前記検出システムは、前記記録要素を作製するための前記装置から離れて位置付けられており、または前記記録要素を作製するための前記装置上に位置付けられていることを特徴とする[６９]に記載の方法。
[７１]  前記設定ステップは、
ｄ１）ステップｃ）の、前記検出された発光を、コード化シグナルに変換するステップと、
ｄ２）前記コード化シグナルを解読するステップと、
ｄ３）前記装置を操作するための条件の１つまたは複数を設定することによって、前記解読されたシグナルに応答ステップと
を含むことを特徴とする[６７]に記載の方法。
[７２]  前記応答ステップは、前記応答を記録するステップをさらに含むことを特徴とする[７１]に記載の方法。
[７３]  前記応答ステップは、前記条件の１つまたは複数を、対応する基本設定点および／または範囲に対して比較するステップと、前記条件の１つまたは複数が変化したかどうかを決定するステップとをさらに含むことを特徴とする[７１]に記載の方法。
[７４]  前記装置は、第１の条件で動作し、前記設定ステップは、前記第１の条件を第２の条件に変化させることを特徴とする[６７]に記載の方法。
[７５]  前記装置は、第１の組の条件で動作し、前記応答ステップは、前記第１の組の条件の１つまたは複数を、第２の組の条件に変化させることを特徴とする[６７]に記載の方法。
[７６]  前記装置は、化学線露光ユニット、レーザー光線露光ユニット、洗い流し処理器、熱処理器、後露光ユニット、仕上げ露光ユニット、およびラミネータからなる群から選択されることを特徴とする[６７]に記載の方法。
[７７]  前記装置は、領域を融解させ、流動させ、または軟化させるのに十分な温度まで、前記画像形成要素を加熱するための前記熱処理器であり、前記熱処理器に関する条件は、ドラムロールの回転速度、現像液ホットロールの回転速度、前記現像液ホットロールの温度、追加の加熱装置への電力、前記画像形成要素上の前記現像液ホットロールの圧力、およびこれらの組合せからなる群から選択されることを特徴とする[７６]に記載の方法。
[７８]  前記装置は、前記組成物の層の一部を処理液で除去するための洗い流し処理器であり、前記洗い流し処理器に関する条件は、前記処理液の温度、１つまたは複数のブラシの圧力、前記１つまたは複数のブラシの回転速度、前記画像形成要素の輸送速度、およびこれらの組合せからなる群から選択されることを特徴とする[７６]に記載の方法。
[７９]  前記装置は、前記画像形成要素上に画像を形成するためのレーザー光線露光ユニットであり、前記レーザー光線露光ユニットに関する条件は、前記レーザー光線の焦点、前記レーザー光線の出力、前記レーザー光線の波長、レーザー光線のビーム数、レーザーヘッドの数、前記画像形成要素の輸送速度、前記レーザー光線の走査速度、およびこれらの組合せからなる群から選択されることを特徴とする[７６]に記載の方法。
[８０]  前記装置は、前記画像形成要素と２次要素の集合体を形成するための前記ラミネータであり、前記条件は、積層ローラの圧力、前記積層ローラの温度、前記画像形成要素の輸送速度、およびこれらの組合せからなる群から選択されることを特徴とする[７６]に記載の方法。
[８１]  前記装置は、前記画像形成要素を前記化学線で露光するための前記化学線露光ユニットであり、前記条件は、露光時間、前記化学線のエネルギー密度、前記化学線の波長、およびこれらの組合せからなる群から選択されることを特徴とする[７６]に記載の方法。
[８２]  前記装置は、前記タグの発光を検出するための、１つまたは複数のセンサをさらに含むことを特徴とする[６７]に記載の方法。
[８３]  前記装置は、前記タグを励起しまたは刺激するための、前記第２の波長の放射線の１つまたは複数の線源をさらに含むことを特徴とする[６７]に記載の方法。
[８４]  [３５]に記載の方法により調製されることを特徴とするフレキソ印刷フォーム。